(57)【特許請求の範囲】
【請求項１】
移動局を含み、
システム内の各移動局について、メールの受信を許可する送信局のリストを保持するリスト保持手段と、
システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御手段とを有する無線通信システムにおけるメール配信制御方法であって、
前記無線通信システムに、
前記リスト保持手段によって保持された前記受信許可送信局リストを編集するリスト編集手段と、
前記移動局によって予め登録された移動局毎のキーワード・リストを保持する手段とを設け、
前記メール配信制御手段がシステム内の移動局にメールを配信する際に、当該メールの宛先となっているメール受信側移動局の前記受信許可送信局リストに当該メールの送信局が載っていないとき、前記メール配信制御手段により、前記メール拒否通知と共に、当該メールの送信局が該送信局を当該メール受信側移動局の前記受信許可送信局リストに登録するための条件に関する登録方法情報が当該メールの送信局へ送信され、
前記条件は、移動局のユーザが操作により満たすことができるものであり、
前記登録方法情報は、所定のＷＷＷサーバ上のＵＲＬを含み、
前記メール送信局によって前記キーワード入力フォームに入力されたキーワードが前記保持されたキーワード・リスト中に存在するか否かが前記リスト編集手段によって判断され、存在すると判断された場合には前記条件が満たされたと判断され、該入力を行った前記メール送信局が前記リスト編集手段によって前記キーワード・リストが関連する移動局の前記受信許可送信局リストに追加される、ことを特徴とするメール配信制御方法。
【請求項２】
請求項１記載のメール配信制御方法であって、
前記ＷＷＷサーバは、前記移動局によって予め登録された移動局毎の質問及びその回答を保持する手段を有し、
前記ＵＲＬにアクセスした前記メール送信局には前記ＷＷＷサーバから前記質問及びそれに対応するキーワード入力フォームが送信され、
前記メール送信局によって前記キーワード入力フォームに入力されたキーワードが前記保持された該キーワード入力フォームに関連付けられた質問に対する前記回答と一致するか否かが前記リスト編集手段によって判断され、一致すると判断された場合には前記条件が満たされたと判断され、該入力を行った前記メール送信局が前記リスト編集手段によって前記キーワード・リストが関連する移動局の前記受信許可送信局リストに追加される、ことを特徴とするメール配信制御方法。
【請求項３】
移動局を含み、
システム内の各移動局について、メールの受信を許可する送信局のリストを保持するリスト保持手段を有する無線通信システムに設けられ、
システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御装置であって、
前記リスト保持手段によって保持された前記受信許可送信局リストを編集するリスト編集手段と、
前記移動局によって予め登録された移動局毎のキーワード・リストを保持するキーワード保持手段と、
前記ＷＷＷサーバに前記ＵＲＬにアクセスした前記メール送信局にキーワード入力フォームを送信させるウェブ・ページ送信制御手段とを有し、
システム内の移動局にメールを配信する際に、当該メールの宛先となっているメール受信側移動局の前記受信許可送信局リストに当該メールの送信局が載っていないとき、前記メール拒否通知と共に、当該メールの送信局が該送信局を当該メール受信側移動局の前記受信許可送信局リストに登録するための条件に関する登録方法情報を当該メールの送信局へ送信し、
前記条件は、移動局のユーザが操作により満たすことができるものであり、
前記登録方法情報は、所定のＷＷＷサーバ上のＵＲＬを含み、
前記リスト編集手段は、前記メール送信局によって前記キーワード入力フォームに入力されたキーワードが前記キーワード保持手段によって保持された前記キーワード・リスト中に存在する場合に前記条件が満たされたと判断し、該入力を行った前記メール送信局を前記キーワード・リストが関連する移動局の前記受信許可送信局リストに追加する、ことを特徴とするメール配信制御装置。
【請求項４】
請求項３記載のメール配信制御装置であって、
前記キーワード保持手段は、
前記移動局によって登録された移動局毎の質問及びその回答を保持し、
前記ウェブ・ページ送信制御手段は、
前記ＷＷＷサーバに前記ＵＲＬにアクセスした前記メール送信局に前記質問及びそれに対応するキーワード入力フォームを送信させ、
前記リスト編集手段は、
前記キーワード入力フォームに入力されたキーワードが前記キーワード保持手段によって保持された該キーワード入力フォームに関連付けられた質問に対する前記回答と一致するか否か判断し、一致した場合に前記条件が満たされたと判断し、該入力を行った前記メール送信局を前記キーワード・リストが関連する移動局の前記受信許可送信局リストに追加する、ことを特徴とするメール配信制御装置。
【請求項５】
移動局を含み、
システム内の各移動局について、メールの受信を許可する送信局のリストを保持するリスト保持手段と、
システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御手段とを有する無線通信システムであって、
前記リスト保持手段によって保持された前記受信許可送信局リストを編集するリスト編集手段と、
前記移動局によって予め登録された移動局毎のキーワード・リストを保持するキーワード保持手段とを更に有し、
前記メール配信制御手段は、システム内の移動局にメールを配信する際に、当該メールの宛先となっているメール受信側移動局の前記受信許可送信局リストに当該メールの送信局が載っていないとき、前記メール拒否通知と共に、当該メールの送信局が該送信局を当該メール受信側移動局の前記受信許可送信局リストに登録するための条件に関する登録方法情報を当該メールの送信局へ送信し、
前記条件は、移動局のユーザが操作により満たすことができるものであり、
前記登録方法情報は、所定のＷＷＷサーバ上のＵＲＬを含み、
前記ＷＷＷサーバは、前記ＵＲＬにアクセスした前記メール送信局にキーワード入力フォームを送信するウェブ・ページ送信手段を有し、
前記リスト編集手段は、前記メール送信局によって前記キーワード入力フォームに入力されたキーワードが前記キーワード保持手段によって保持された前記キーワード・リスト中に存在する場合に前記条件が満たされたと判断し、該入力を行った前記メール送信局を前記キーワード・リストが関連する移動局の前記受信許可送信局リストに追加する、ことを特徴とする無線通信システム。
【請求項６】
請求項５記載の無線通信システムであって、
前記キーワード保持手段は、前記移動局によって予め登録された移動局毎の質問及びその回答を保持し、
前記ウェブ・ページ送信手段は、前記ＵＲＬにアクセスした前記メール送信局に前記質問及びそれに対応するキーワード入力フォームを送信し、
前記リスト編集手段は、前記キーワード入力フォームに入力されたキーワードが前記キーワード保持手段によって保持された該キーワード入力フォームに関連付けられた質問に対する前記回答と一致するか否か判断し、一致した場合に前記条件が満たされたと判断し、該入力を行った前記メール送信局を前記キーワード・リストが関連する移動局の前記受信許可送信局リストに追加する、ことを特徴とする無線通信システム。
【発明の詳細な説明】
【０００１】
【発明の属する技術分野】
本発明は、主に、各移動局のユーザが所定のアドレス以外からの電子メール（以下、単に「メール」という）の受信を拒否する設定が可能なメール配信制御方法及び装置に係り、特に、メール送信者から上記設定を解除することができるメール配信制御方法及び装置に関する。
【０００２】
【従来の技術】
後述の本発明の実施形態において主にパケット交換型の無線通信システムにおける場合について説明する都合上、ここでは従来の無線通信システムの一例としてパケット通信システムについて述べる。まず、図１を用いて、パケット通信システムの概略を説明する。図１は、一般的なＰＤＣ移動パケット通信システムの一例を示す概念図である。
【０００３】
図示するように、一般的なＰＤＣ移動パケット通信システム１０１は、少なくとも、ゲートウェイ機能（Ｇａｔｅ  Ｗａｙ  Ｆｕｎｃｔｉｏｎ；ＧＷＦ）１０２と、パケット関門中継処理機能（Ｍｏｂｉｌｅ  Ｇａｔｅｗａｙ  Ｆｕｎｃｔｉｏｎ；ＭＧＦ）１０３と、パケット加入者系交換機能（Ｍｏｂｉｌｅ  Ｐａｃｋｅｔ  ｐｒｏｃｅｓｓｉｎｇ  Ｆｕｎｃｔｉｏｎ；ＭＰＦ）１０４と、基地局（Ｂａｓｅ  Ｓｔａｔｉｏｎ；ＢＳ）１０５と、移動局（Ｍｏｂｉｌｅ  Ｓｔａｔｉｏｎ；ＭＳ）１０６とを含む。
【０００４】
ＧＷＦ１０２は、ＭＧＦ１０３とインターネット１０７とを接続するゲートウェイの機能を有する。
【０００５】
ＭＧＦ１０３は、ＰＤＣ移動パケット通信システムと、外部ネットワークとを接続するゲートウェイの機能を有する。
【０００６】
ＭＰＦ１０４は、ＭＧＦ１０３とＢＳ１０５との間に位置し、パケット交換を行う機能を有する。
【０００７】
ＢＳ１０５は、在圏するＭＳ１０６と無線パケットを送受信する機能を有する。
【０００８】
次いで、図２を用いて、このようなパケット通信システムにおけるデータの流れについて説明する。図２は、一般的なＰＤＣ移動パケット通信システムにおけるデータの流れを示す概略図である。
【０００９】
例えば、ＭＳ１０６ＢからＭＳ１０６Ａへメールを送信する場合（図２（ａ））、図示するように、ＢＳ１０５、ＭＰＦ１０４、ＭＧＦ１０３、ＧＷＦ１０２、ＭＧＦ１０３、ＭＰＦ１０４、及びＢＳ１０５を順に通る。ＭＳ１０６Ａ及びＭＳ１０６Ｂは、異なるシステム１０１配下に在圏していてもよい。
【００１０】
更に、例えば、ＭＳ１０６からインターネット上のアドレス２０１にメールを送信する場合（図２（ｂ））、ＢＳ１０５、ＭＰＦ１０４、ＭＧＦ１０３、及びＧＷＦ１０２を順に通る。インターネット・アドレス２０１からＭＳ１０６へメールを送信する場合は、これと逆の順序となる。
【００１１】
このようなＰＤＣ移動パケット通信システムを用いた移動通信サービスにおいて、各移動局には、ユーザが意図しない送信者からのメールがインターネットを通じて送信されてくる場合がある。このようなメールは、迷惑メール、ジャンクメールなどと呼ばれ、その多くは広告や勧誘を目的とするものである。
【００１２】
このような迷惑メールが移動局に対して送信されてくることは、受信する移動局ユーザにとって不快である。特に、メール受信に伴う料金が受信者に課金される体系を採用する通信サービスにおいては、これら迷惑メールに伴う費用を受信を望まない移動局ユーザが負担することになるという問題も生じる。
【００１３】
そこで、従来、移動通信サービスでは、メールを受信してもよい送信元アドレスをリストアップした受信許可アドレスリストを移動局毎に作成し、外部ネットワークとの窓口であるゲートウェイ装置がこれを保持し、フィルタリングを行う。すなわち、ゲートウェイ装置は、システム内の移動局にメールを配信する際、該移動局についての上記リストに載っている送信元からのメールのみを配信し、載っていない送信元からのメールであった場合には該送信元のアドレスへメール拒否通知を送信する。
【００１４】
このような受信を許可する送信元アドレスのみをリストアップしたいわゆる「ホワイトリスト」によるフィルタリングに代わり、受信を拒否するアドレスをリストアップしたいわゆる「ブラックリスト」によるフィルタリングも理論上可能であるが、リストデータが膨大になる可能性がある。
【００１５】
【発明が解決しようとする課題】
しかしながら、上記従来の受信拒否設定機能には、メールを受信したい（又は、受信してもよい）送信元アドレスが増える度に、受信者側で上記受信許可アドレスリストを更新しなければならないという問題がある。
【００１６】
以下、図３及び図４を用いて、この問題について説明する。図３は、ゲートウェイ装置が保持する一移動局についての受信許可アドレスリストの一例であり、図４は、ゲートウェイ装置による受信拒否及び受信許可の制御の流れを示す概略図である。
【００１７】
例えば、移動局１０６の受信許可アドレスリストが図３（ａ）に示すようなものであったとする。ここで、移動局１０６のユーザの新しい友人４０１（アドレス：ｓｈｉｇｅｒｕ＠ｔｅｓｔ−ｓｉｔｅ．ｎｅ．ｊｐ）が移動局１０６へメールを送信する（図４（ａ）の▲１▼）と、友人４０１のアドレスは受信許可アドレスリストに含まれていないため（図３（ａ）参照）、ゲートウェイ装置１０２は友人４０１のアドレスへメール拒否通知を返す（図４（ａ）の▲２▼）。
【００１８】
ここで、友人４０１が移動局１０６へメールを送信するためには、まず、移動局１０６へのメール送信以外の何らかの方法（例えば、移動局１０６のユーザに直接会って口頭で伝える、など）で移動局１０６のユーザに友人４０１のアドレスを受信許可アドレスリストに載せてくれるよう依頼する必要がある（図４（ｂ）の▲１▼）。
【００１９】
移動局１０６のユーザが所定の方法でゲートウェイ装置１０２に友人４０１からのメール受信を許可する設定を実行すると（図４（ｂ）の▲２▼）、ゲートウェイ装置１０２に保持された移動局１０６の受信許可アドレスリストに友人４０１のアドレス（ｓｈｉｇｅｒｕ＠ｔｅｓｔ−ｓｉｔｅ．ｎｅ．ｊｐ）が加えられ（図３（ｂ））、以降、友人４０１からのメールはゲートウェイ装置１０２によって拒否されず、移動局１０６まで配信されるようになる（図４（ｂ）の▲３▼）。
【００２０】
このように、従来のメール配信方法における受信拒否設定機能では、送信側は、自身のアドレスを受信側に受信許可アドレスとしてリストアップしてもらうまでメールを送信できないという不便があった。具体的な例としては、例えば、実際には非常に親しい間柄であるにもかかわらず、偶々相手のメール・アドレスを受信許可アドレスリストに載せていなかった場合や、ごく最近知り合いになったばかりの者同士がメール・アドレスの交換はしたものの、受信許可アドレスリストへの設定が済んでいない場合などに、上記登録設定の手間が生じる。
【００２１】
本発明はこのような課題を解決するために為されたものであり、ホワイトリストによる受信拒否設定を利用している受信側に対して、許可リストにいまだ載っていない送信側がメールを送信する際、所定の条件をクリアすれば、送信側による操作のみによって受信側へメールを送信することができるようになると共に、上記所定の条件は受信側によって任意に設定できるものとした無線通信システム及びそのメール配信方法を提供することを目的とする。
【００２２】
【課題を解決するための手段】
本発明の請求項１に係るメール配信制御方法は、移動局を含み、システム内の各移動局について、メールの受信を許可する送信局のリストを保持するリスト保持手段と、システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御手段とを有する無線通信システムにおけるメール配信制御方法であって、前記無線通信システムに、前記リスト保持手段によって保持された前記受信許可送信局リストを編集するリスト編集手段と、前記移動局によって予め登録された移動局毎のキーワード・リストを保持する手段とを設け、前記メール配信制御手段がシステム内の移動局にメールを配信する際に、当該メールの宛先となっているメール受信側移動局の前記受信許可送信局リストに当該メールの送信局が載っていないとき、前記メール配信制御手段により、前記メール拒否通知と共に、当該メールの送信局が該送信局を当該メール受信側移動局の前記受信許可送信局リストに登録するための条件に関する登録方法情報が当該メールの送信局へ送信され、前記条件は、移動局のユーザが操作により満たすことができるものであり、前記登録方法情報は、所定のＷＷＷサーバ上のＵＲＬを含み、前記メール送信局によって前記キーワード入力フォームに入力されたキーワードが前記保持されたキーワード・リスト中に存在するか否かが前記リスト編集手段によって判断され、存在すると判断された場合には前記条件が満たされたと判断され、該入力を行った前記メール送信局が前記リスト編集手段によって前記キーワード・リストが関連する移動局の前記受信許可送信局リストに追加される、メール配信制御方法を採る。
【００２３】
この方法によれば、所望宛先移動局の受信許可アドレスリストに自身のアドレスがいまだ載っていない場合に、メール送信者は、メール受信拒否の通知と共に、該拒否の設定を解除する方法について伝達されるため、所望宛先移動局のユーザに別途連絡を取って自身のアドレスをリストアップしてもらうことが不要となる。
【００２５】
また、この方法によれば、メールの受信が拒否されたメール送信者は、自らの操作のみで該所望宛先移動局へメールを送信できるようになる。又、移動局ユーザは、受信拒否設定を自ら解除できる送信元を任意に設定することができる。
【００２７】
また、この方法において、ＷＷＷサーバとは、Ｗｏｒｌｄ−Ｗｉｄｅ Ｗｅｂ（ワールド・ワイド・ウェブ）上にウェブ・ページを提供するサーバであり、ＵＲＬ（ｕｎｉｆｏｒｍ ｒｅｓｏｕｒｃｅ ｌｏｃａｔｏｒ）とは、ＷＷＷ上のウェブ・ページを一意に特定するためのアドレス表記である。
【００２８】
また、この方法によれば、メール送信者は、所望宛先移動局の（ユーザの）キーワードさえ知っていれば、メール拒否通知に含まれるＵＲＬで示されたウェブ・ページにアクセスし、該キーワードを入力するだけで、該所望宛先移動局についての受信許可アドレスリストに自らのアドレスを登録することができる。
【００２９】
さらに、この方法によれば、移動局ユーザは、上記キーワードを自由に設定できるため、メールを受信してもよいと思う人物ならば知っているであろうキーワードを登録しておくことにより、メール送信元のフィルタリングを柔軟に行うことができる。
【００３０】
本発明の請求項２に係るメール配信制御方法は、請求項１に係るメール配信制御方法において、前記ＷＷＷサーバは、前記移動局によって予め登録された移動局毎の質問及びその回答を保持する手段を有し、前記ＵＲＬにアクセスした前記メール送信局には前記ＷＷＷサーバから前記質問及びそれに対応するキーワード入力フォームが送信され、前記メール送信局によって前記キーワード入力フォームに入力されたキーワードが前記保持された該キーワード入力フォームに関連付けられた質問に対する前記回答と一致するか否かが前記リスト編集手段によって判断され、一致すると判断された場合には前記条件が満たされたと判断され、該入力を行った前記メール送信局が前記リスト編集手段によって前記キーワード・リストが関連する移動局の前記受信許可送信局リストに追加される、メール配信制御方法を採る。
【００３１】
この方法によれば、移動局ユーザは、メールを受信してもよいと思う人物ならば知っているであろう事実関係に基づき質問と回答を登録しておくことにより、メール送信元のフィルタリングを柔軟に行うことができる。又、Ｑ＆Ａ方式のため、メール送信者が予めキーワードを覚えておいたり、所望宛先移動局のユーザに関するキーワードを連想したりする必要が無い。
【００３２】
本発明の請求項３に係るメール配信制御装置は、移動局を含み、システム内の各移動局について、メールの受信を許可する送信局のリストを保持するリスト保持手段を有する無線通信システムに設けられ、システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御装置であって、前記リスト保持手段によって保持された前記受信許可送信局リストを編集するリスト編集手段と、前記移動局によって予め登録された移動局毎のキーワード・リストを保持するキーワード保持手段と、前記ＷＷＷサーバに前記ＵＲＬにアクセスした前記メール送信局にキーワード入力フォームを送信させるウェブ・ページ送信制御手段とを有し、システム内の移動局にメールを配信する際に、当該メールの宛先となっているメール受信側移動局の前記受信許可送信局リストに当該メールの送信局が載っていないとき、前記メール拒否通知と共に、当該メールの送信局が該送信局を当該メール受信側移動局の前記受信許可送信局リストに登録するための条件に関する登録方法情報を当該メールの送信局へ送信し、前記条件は、移動局のユーザが操作により満たすことができるものであり、前記登録方法情報は、所定のＷＷＷサーバ上のＵＲＬを含み、前記リスト編集手段は、前記メール送信局によって前記キーワード入力フォームに入力されたキーワードが前記キーワード保持手段によって保持された前記キーワード・リスト中に存在する場合に前記条件が満たされたと判断し、該入力を行った前記メール送信局を前記キーワード・リストが関連する移動局の前記受信許可送信局リストに追加する、構成を採る。
【００３３】
この構成において、メール配信制御装置は、例えば、ゲートウェイ（ｇａｔｅｗａｙ）装置の全部又は一部である。
【００３４】
この構成によれば、所望宛先移動局の受信許可アドレスリストに自身のアドレスがいまだ載っていない場合に、メール送信者は、メール受信拒否の通知と共に、該拒否の設定を解除する方法について伝達されるため、所望宛先移動局のユーザに別途連絡を取って自身のアドレスをリストアップしてもらうことが不要となる。
【００３６】
また、この構成によれば、メールの受信が拒否されたメール送信者は、自らの操作のみで該所望宛先移動局へメールを送信できるようになる。又、移動局ユーザは、受信拒否設定を自ら解除できる送信元を任意に設定することができる。
【００３８】
また、この構成において、ＷＷＷサーバとは、Ｗｏｒｌｄ−Ｗｉｄｅ Ｗｅｂ（ワールド・ワイド・ウェブ）上にウェブ・ページを提供するサーバであり、ＵＲＬ（ｕｎｉｆｏｒｍ ｒｅｓｏｕｒｃｅ ｌｏｃａｔｏｒ）とは、ＷＷＷ上のウェブ・ページを一意に特定するためのアドレス表記である。
【００３９】
また、この構成によれば、メール送信者は、所望宛先移動局の（ユーザの）キーワードさえ知っていれば、メール拒否通知に含まれるＵＲＬで示されたウェブ・ページにアクセスし、該キーワードを入力するだけで、該所望宛先移動局についての受信許可アドレスリストに自らのアドレスを登録することができる。
【００４０】
さらに、この構成によれば、移動局ユーザは、上記キーワードを自由に設定できるため、メールを受信してもよいと思う人物ならば知っているであろうキーワードを登録しておくことにより、メール送信元のフィルタリングを柔軟に行うことができる。
【００４１】
本発明の請求項４に係るメール配信制御装置は、請求項３に係るメール配信制御装置において、前記キーワード保持手段は、前記移動局によって登録された移動局毎の質問及びその回答を保持し、前記ウェブ・ページ送信制御手段は、前記ＷＷＷサーバに前記ＵＲＬにアクセスした前記メール送信局に前記質問及びそれに対応するキーワード入力フォームを送信させ、前記リスト編集手段は、前記キーワード入力フォームに入力されたキーワードが前記キーワード保持手段によって保持された該キーワード入力フォームに関連付けられた質問に対する前記回答と一致するか否か判断し、一致した場合に前記条件が満たされたと判断し、該入力を行った前記メール送信局を前記キーワード・リストが関連する移動局の前記受信許可送信局リストに追加する、構成を採る。
【００４２】
この構成によれば、移動局ユーザは、メールを受信してもよいと思う人物ならば知っているであろう事実関係に基づき質問と回答を登録しておくことにより、メール送信元のフィルタリングを柔軟に行うことができる。又、Ｑ＆Ａ方式のため、メール送信者が予めキーワードを覚えておいたり、所望宛先移動局のユーザに関するキーワードを連想したりする必要が無い。
【００４３】
本発明の請求項５に係る無線通信システムは、移動局を含み、システム内の各移動局について、メールの受信を許可する送信局のリストを保持するリスト保持手段と、システム内の移動局にメールを配信する際に、当該メールの宛先となっているメール受信側移動局の前記受信許可送信局リストに当該メールの送信局が載っていれば該メールを宛先の該メール受信側移動局へ配信し、載っていなければ当該メールの送信局にメール拒否通知を送信するメール配信制御手段とを有する無線通信システムであって、前記リスト保持手段によって保持された前記受信許可送信局リストを編集するリスト編集手段と、前記移動局によって予め登録された移動局毎のキーワード・リストを保持するキーワード保持手段とを更に有し、前記メール配信制御手段は、システム内の移動局にメールを配信する際に、当該メールの宛先となっているメール受信側移動局の前記受信許可送信局リストに当該メールの送信局が載っていないとき、前記メール拒否通知と共に、当該メールの送信局が該送信局を当該メール受信側移動局の前記受信許可送信局リストに登録するための条件に関する登録方法情報を当該メールの送信局へ送信し、前記条件は、移動局のユーザが操作により満たすことができるものであり、前記登録方法情報は、所定のＷＷＷサーバ上のＵＲＬを含み、前記ＷＷＷサーバは、前記ＵＲＬにアクセスした前記メール送信局にキーワード入力フォームを送信するウェブ・ページ送信手段を有し、前記リスト編集手段は、前記メール送信局によって前記キーワード入力フォームに入力されたキーワードが前記キーワード保持手段によって保持された前記キーワード・リスト中に存在する場合に前記条件が満たされたと判断し、該入力を行った前記メール送信局を前記キーワード・リストが関連する移動局の前記受信許可送信局リストに追加する、構成を採る。
【００４４】
この構成において、メール配信制御手段は、例えば、ゲートウェイ（ｇａｔｅｗａｙ）装置の全部又は一部である。
【００４５】
この構成によれば、所望宛先移動局の受信許可アドレスリストに自身のアドレスがいまだ載っていない場合に、メール送信者は、メール受信拒否の通知と共に、該拒否の設定を解除する方法について伝達されるため、所望宛先移動局のユーザに別途連絡を取って自身のアドレスをリストアップしてもらうことが不要となる。
【００４７】
また、この構成によれば、メールの受信が拒否されたメール送信者は、自らの操作のみで該所望宛先移動局へメールを送信できるようになる。又、移動局ユーザは、受信拒否設定を自ら解除できる送信元を任意に設定することができる。
【００４９】
また、この構成において、ＷＷＷサーバとは、Ｗｏｒｌｄ−Ｗｉｄｅ Ｗｅｂ（ワールド・ワイド・ウェブ）上にウェブ・ページを提供するサーバであり、ＵＲＬ（ｕｎｉｆｏｒｍ ｒｅｓｏｕｒｃｅ ｌｏｃａｔｏｒ）とは、ＷＷＷ上のウェブ・ページを一意に特定するためのアドレス表記である。
【００５０】
また、この構成によれば、メール送信者は、所望宛先移動局の（ユーザの）キーワードさえ知っていれば、メール拒否通知に含まれるＵＲＬで示されたウェブ・ページにアクセスし、該キーワードを入力するだけで、該所望宛先移動局についての受信許可アドレスリストに自らのアドレスを登録することができる。
【００５１】
さらに、この構成によれば、移動局ユーザは、上記キーワードを自由に設定できるため、メールを受信してもよいと思う人物ならば知っているであろうキーワードを登録しておくことにより、メール送信元のフィルタリングを柔軟に行うことができる。
【００５２】
本発明の請求項６に係る無線通信システムは、請求項５に係る無線通信システムにおいて、前記キーワード保持手段は、前記移動局によって予め登録された移動局毎の質問及びその回答を保持し、前記ウェブ・ページ送信手段は、前記ＵＲＬにアクセスした前記メール送信局に前記質問及びそれに対応するキーワード入力フォームを送信し、前記リスト編集手段は、前記キーワード入力フォームに入力されたキーワードが前記キーワード保持手段によって保持された該キーワード入力フォームに関連付けられた質問に対する前記回答と一致するか否か判断し、一致した場合に前記条件が満たされたと判断し、該入力を行った前記メール送信局を前記キーワード・リストが関連する移動局の前記受信許可送信局リストに追加する、構成を採る。
【００５３】
この構成によれば、移動局ユーザは、メールを受信してもよいと思う人物ならば知っているであろう事実関係に基づき質問と回答を登録しておくことにより、メール送信元のフィルタリングを柔軟に行うことができる。又、Ｑ＆Ａ方式のため、メール送信者が予めキーワードを覚えておいたり、所望宛先移動局のユーザに関するキーワードを連想したりする必要が無い。
【００５４】
【発明の実施の形態】
以下、添付図面を参照しながら本発明の一実施形態について説明する。図中、同一の構成要素には同一の符号を付し、重複する説明は省略する。
【００５５】
本発明において、受信側ゲートウェイ装置は、メールの受信を拒否された送信元アドレスに対して、メール拒否通知と共に、所望宛先の受信許可アドレスリストに登録されるための方法に関する情報を伝達する。該送信元ユーザは、該方法に従って、自身のアドレスを該所望宛先の受信許可アドレスリストに載せることができるため、所望宛先移動局のユーザに何らかの操作・設定行為を依頼することなく、自らの操作のみによって、該移動局へのメール送信を可能にすることができる。
【００５６】
換言すれば、本発明に係る受信拒否機能は、所定の条件を満たした送信元ユーザには解除することができるものである。
【００５７】
本発明の一実施形態において、上記方法は、上記ゲートウェイ装置と接続されたＷＷＷサーバ上にウェブ・ページとして提示された入力フォームに、送信元ユーザが所望宛先移動局のユーザによって予め設定されたキーワードを入力することができた場合に、該送信元アドレスが自動的に許可リストに登録される、というものである。
【００５８】
まず、図５を用いて、本実施形態に係るキーワードの設定について説明する。図５は、本実施形態に係る無線通信システムにおけるキーワード設定手順を示す図である。本実施形態に係る無線通信システム５０１は、ＧＷＦ５０２と、ＭＧＦ５０３と、ＭＰＦ５０４と、基地局（ＢＳ）５０５と、移動局（ＭＳ）５０６と、から成り、ゲートウェイ装置を通じて外部ネットワーク（ここでは、例としてインターネット）５０７と接続されている。
【００５９】
まず、移動局５０６のユーザは、任意のキーワードを予めゲートウェイ装置５０２に登録しておくために、設定要求を送信する（▲１▼）。ゲートウェイ装置５０２は、このキーワードを該移動局の受信許可アドレスリストと関連付けて保存した上で、設定終了を示す応答を返す（▲２▼）。
【００６０】
次いで、図６を用いて、移動局ユーザによって任意に設定されるキーワードについて説明する。図６（ａ）及び（ｂ）は、それぞれ、本実施形態に係るキーワード設定例１及び２を示す。
【００６１】
ここで、図６（ａ）は、１以上の単語をキーワードとして設定する場合を示し、図６（ｂ）は、質問及びその回答で一組のペアを作り、１以上の該ペアをキーワードとして設定するものである。
【００６２】
いずれの場合でも、キーワードの内容・個数は、設定する移動局ユーザの自由であり、この設定内容によって、メールの受信を（潜在的に）許可してもよい送信元を選別することができる。いずれのメールが迷惑メールであって、いずれのメールが受信を希望するメールであるかの定義は個人個人で異なるため、この設定・選別について自由度を有することは重要である。詳しくは後述する。
【００６３】
次いで、図７及び８を用いて、送信元ユーザが自身のアドレスを所望宛先移動局の受信許可アドレスリストに載せ、メールの送信を可能にするまでの処理の流れを説明する。図７は、本実施形態に係る無線通信システムにおける受信拒否解除手順の流れを示す図であり、図８は、本実施形態に係る認証用ウェブ・ページの例を示す図である。
【００６４】
ここでは、移動局５０６のユーザと最近知り合いになった友人７０１（アドレス：ｊｉｒｏ＠ｔｅｓｔ−ｓｉｔｅ．ｎｅ．ｊｐ）が該移動局へメールを送信しようとする場合について考える。
【００６５】
友人７０１がメールを送信（図７の▲１▼）しても、そのアドレスがいまだゲートウェイ装置に保持された移動局５０６についての受信許可アドレスリストに登録されていないため、受信が拒否される（図７の▲２▼）。
【００６６】
この際、本実施形態に係るゲートウェイ装置５０２は、受信拒否通知と共に、送信元が移動局５０６のユーザによって潜在的に受信が許可されたユーザであるか否かを識別するためのウェブ・ページのＵＲＬを送信元アドレス７０１へ返す。図８のメッセージ画面例８０１は、この受信拒否通知メッセージの一例である。
【００６７】
送信元ユーザ７０１は、該ＵＲＬをクリックして、ＷＷＷサーバ７０２へアクセスする（図７の▲３▼）。ＷＷＷサーバ７０２の上記ＵＲＬにアクセスすると、キーワード入力画面が提示される。図６（ａ）に示した設定例１の場合のキーワード入力用ウェブ・ページ画面例８０２は、単に移動局５０６に対して連想される言葉を入力するフォームになっている。又、図６（ｂ）に示した設定例２の場合のキーワード入力用ウェブ・ページ画面例８０３は、各キーワードの質問部分のみを表示し、それに対する回答を入力するフォームになっている。なお、図中、「ＭＳ５０６」と書かれている部分は、実際には移動局のＩＤ（＝電話番号）やメール・アドレスなどが入る。
【００６８】
正しいキーワード、すなわち移動局５０６のユーザによって予め登録されていたキーワードが入力されれば、その旨ＷＷＷサーバ７０２からゲートウェイ装置５０２へ伝達され（図７の▲４▼）、ゲートウェイ装置５０２は移動局５０６の受信許可アドレスリストを更新し、友人７０１のアドレス：ｊｉｒｏ＠ｔｅｓｔ−ｓｉｔｅ．ｎｅ．ｊｐを加える（図８の８０４）。
【００６９】
受信許可アドレスリストにアドレスが登録されれば、ゲートウェイ装置５０２において拒絶されることなく、友人７０１は移動局５０６にメールを送信することができるようになる（図７の▲５▼）。
【００７０】
このように、本実施形態によれば、移動局５０６の受信許可アドレスリストに載っていない送信者（ここでは友人７０１）の操作のみによって、移動局５０６へのメール送信を可能にすることができる。
【００７１】
又、送信側の操作のみによって自身を受信許可者とすることができる者は、受信側が予めキーワードを設定しておくことによって、任意の者に制限することができる。
【００７２】
ここで、上記「任意の者」は、移動局ユーザとの「親しさの度合」を、該ユーザに関連するキーワードを知っているか否かによって測ることにより、ごく親しい者に限定することも可能であり、ある程度の関係にある知人まで幅広く認めることも可能である。すなわち、移動局ユーザは、キーワード設定により、所定の関係（親密度・緊密度）にある者に「潜在的な」メール受信許可を与えることができる。
【００７３】
例えば上記キーワードを親族でなければ知らない事実に関するもの（例えば、母の旧姓、従兄弟の名前など）とすれば、送信側で受信拒否設定を解除して（すなわち、受信許可アドレスリストに自身のアドレスを登録して）メールを送信してくることができる者を親族に限定することができる。
【００７４】
又、例えば上記キーワードを特に親しい友人でなければ知らない事実に関するもの（例えば、仲間内でのニックネーム、よく飲みに行く店の名前など）とすれば、該事実を知る特に親しい友人に対してのみ、メール受信許可を潜在的に与えることができる。
【００７５】
又、例えば上記キーワードを勤務先企業名や出身大学名などのより広く知られた事実とすれば、会社の同僚や大学の同窓生からのメールに対して広く潜在的受信許可を与えることができる。
【００７６】
更に、ユーザの趣向によっては、例えば上記キーワードを移動局ユーザの本名のみとし、英数字をランダムに並べて送信されたジャンクメールの受信を拒否しつつ、ユーザ本人の名前を知った上で送信してくるメールの受信は広告メール・勧誘メール含めて幅広く潜在的に許可する、という体制を採ることもできる。
【００７７】
当然、これらキーワードは組み合わせて用いられてもよい。又、図６（ａ）及び（ｂ）のいずれの場合においても、すべてのキーワードに答えられた送信者のアドレスのみを登録するか、或いは、いずれか１つでも答えられた者のアドレスを登録するか、はユーザが設定できるものとし、該設定によって潜在的許可を与える者の範囲を柔軟に設定することができる。
【００７８】
なお、本発明において、受信許可アドレスリストは、ゲートウェイ装置に限らず、システム内のどこで保存・管理されていてもよい。同様に、移動局毎のキーワード・リストも、ＷＷＷサーバに限らず、任意の場所で保存・管理され得る。
【００７９】
又、前述のＷＷＷサーバは、ゲートウェイ装置と通信可能であれば、無線通信システム内に設けられてもよく、システム外に設けられてもよい。
【００８０】
【発明の効果】
以上、説明したように、本発明の請求項１及び２に係るメール配信制御方法によれば、ホワイトリストによる受信拒否設定を利用している受信側に対して、許可リストにいまだ載っていない送信側がメールを送信する際、所定の条件をクリアすれば、送信側による操作のみによって受信側へメールを送信することができるようになると共に、上記所定の条件は受信側によって任意に設定できるものとしたメール配信方法を提供することができる。
【００８１】
また、本発明の請求項３及び４に係るメール配信制御装置、並びに請求項５及び６に係る無線通信システムによれば、上記請求項１及び２に係る方法を実現することができる。
【図面の簡単な説明】
【図１】一般的なＰＤＣ移動パケット通信システムの一例を示す概念図である。
【図２】一般的なＰＤＣ移動パケット通信システムにおけるデータの流れを示す概略図である。
【図３】ゲートウェイ装置が保持する一移動局についての受信許可アドレスリストの一例を示す図である。
【図４】ゲートウェイ装置による受信拒否及び受信許可の制御の流れを示す概略図である。
【図５】本発明の一実施形態に係る無線通信システムにおけるキーワード設定手順を示す図である。
【図６】本発明の一実施形態に係るキーワード設定例を示す図である。
【図７】本発明の一実施形態に係る無線通信システムにおける受信拒否解除手順の流れを示す図である。
【図８】本発明の一実施形態に係る認証用ウェブ・ページの例を示す図である。
【符号の説明】
５０１  無線通信システム
５０２  ゲートウェイ機能（ＧＷＦ）
５０３  パケット関門中継処理機能（ＭＧＦ）
５０４  パケット加入者系交換機能（ＭＰＦ）
５０５  基地局（ＢＳ）
５０６  移動局（ＭＳ）
５０７  インターネット
７０１  インターネット・アドレス
７０２  ＷＷＷサーバ
８０１  メッセージ画面例
８０２、８０３  ウェブ・ページ画面例
【図１】
0003665009.tif 000002
【図２】
0003665009.tif 000003
【図３】
0003665009.tif 000004
【図４】
0003665009.tif 000005
【図５】
0003665009.tif 000006
【図６】
0003665009.tif 000007
【図７】
0003665009.tif 000008
【図８】
0003665009.tif 000009